(57)【要約】  光記録媒体の回転周波数を決定する方法。本発明は、一定線速度（ｖ）で駆動される光記録媒体（６）の回転周波数（ｆ）を決定する方法、ならびにこの方法を用いて光記録媒体（６）の読取りおよび／または書込みを行う装置（４）に関する。本発明によれば、この方法は、現在のサブコードまたはセクタ情報に基づいて光記録媒体（６）上の基準位置からのトラックの数（Ｎ）を決定するステップ（１）と、決定したトラック数（Ｎ）から回転周波数（ｆ）の近似値を計算するステップ（３）とを含む。
2008508648.tif 000002
【特許請求の範囲】
【請求項１】
定線速度（ｖ）で駆動される光記録媒体（６）の回転周波数（ｆ）を決定する方法であって、
現在のサブコード情報またはセクタ情報に基づいて前記光記録媒体（６）上の基準位置からのトラックの数（Ｎ）を決定するステップ（１）と、
前記決定したトラック数（Ｎ）から回転周波数（ｆ）の近似値を計算するステップ（３）と、
を含む、前記方法。
【請求項２】
１つまたは複数の動作パラメータ（ｖ、ｒｉ、ｓ）を決定するステップ（２）と、
前記決定した動作パラメータ（ｖ、ｒｉ、ｓ）を用いて回転周波数（ｆ）の近似値を計算するステップ（３）と、
をさらに含む、請求項１に記載の方法。
【請求項３】
前記動作パラメータが、定線速度（ｖ）、基準位置の半径（ｒｉ）、および隣接するトラック間の距離（ｓ）を含む、請求項２に記載の方法。
【請求項４】
前記光記録媒体（６）上の基準位置がプログラム領域の始点である、請求項１〜３のうちいずれか一項に記載の方法。
【請求項５】
光記録媒体（６）の読取りおよび／または書込みを行う装置であって、
請求項１から４のうちいずれか一項に記載の、定線速度（ｖ）で駆動される光記録媒体（６）の回転周波数（ｆ）を決定する方法を使用する、前記装置。
【発明の詳細な説明】
【技術分野】
【０００１】
本発明は、光記録媒体の回転周波数を決定する方法、ならびにこの方法を用いて光記録媒体の読取りおよび／または書込みを行う装置に関する。
【背景技術】
【０００２】
光記録媒体のドライブ内のいくつかの動作では、光記録媒体の回転周波数に比例した量が必要である。例えば、いくつかの調整は、光記録媒体の回転周波数に関係していることが理想的である。しかし、コスト削減の必要から、一定線速度で光記録媒体を駆動するドライブでは、光記録媒体の現在の回転周波数を直接測定するエンコーダ・システムは省略されることが多い。この場合には、回転周波数を決定する代替の解決策が必要となる。
【発明の開示】
【発明が解決しようとする課題】
【０００３】
本発明の目的は、回転周波数を直接測定することができない場合に、一定線速度で駆動される光記録媒体の回転周波数を決定する方法を提案することである。
【課題を解決するための手段】
【０００４】
本発明によれば、
現在のサブコードまたはセクタ情報に基づいて光記録媒体上の基準位置からのトラックの数を決定するステップと、
決定したトラック数から回転周波数の近似値を計算するステップと、を含む方法によって、上記の目的は達成される。
【０００５】
特定の一定線速度で駆動される特定の光記録媒体では、回転周期ＴはＴ＝ａ＋ｂＮで与えられる。ここでＮは基準位置からのトラック数、ａおよびｂは定数である。この回転周期Ｔから、ｆ＝１／Ｔを用いて回転周波数ｆを計算することができる。光記録媒体上の基準位置は、プログラム領域の始点であることが好ましい。
【０００６】
この方法は、１つまたは複数の動作パラメータを決定するステップと、
決定した動作パラメータを用いて回転周波数の近似値を計算するステップと、をさらに含むことが好ましい。
【０００７】
様々な線速度を利用することができる場合には、現在用いている速度を考慮に入れなければならない。さらに、様々なタイプの光記録媒体を再生することができる場合には、現在の光記録媒体の固有のパラメータが必要である。これらのパラメータとしては、基準位置の半径、および隣接するトラック間の距離がある。これらの値を用いて、様々なタイプの記録媒体に対して、またさまざまな線速度に対して、定数ａおよびｂを計算することができる。
【０００８】
本発明による方法は、光記録媒体の読取りおよび／または書込みを行う装置において、一定線速度で駆動される光記録媒体の回転周波数を決定するために使用されることが好ましい。
【０００９】
本発明がよりよく理解されるように、以下の説明では図面を参照しながら本発明についてより詳細に説明する。本発明がこの例示的な実施形態に限定されないこと、および本発明の範囲を逸脱することなく、具体的に挙げた特徴を適宜組み合わせる、且つ／または修正することもできることを理解されたい。
【発明を実施するための最良の形態】
【００１０】
図１は、本発明による光記録媒体の回転周波数を決定する方法を示す図である。第１のステップ１で、現在の位置のトラック番号を計算する。これは、現在のトラックとトラック・ジャンプ動作の目標トラックとの間のトラック番号の差を計算する周知のアルゴリズムを適用することによって行う。ここでは、現在の位置から光記録媒体のプログラム領域の始点までの概念上のトラック・ジャンプを行うものと想定し、これにこのアルゴリズムを適用する。このステップの基礎となるのは、光記録媒体上のサブコードまたはセクタＩＤである。もちろん、プログラム領域の始点の代わりに、光記録媒体上のその他の任意の基準位置を使用してもよい。次のステップ２では、例えば光記録媒体のタイプや用いられる線速度など、複数の動作パラメータを決定する。もちろん、これらのパラメータのうちの１つまたは複数は、事前に決定してもよい。例えば、光記録媒体のタイプは、通常は光記録媒体の再生を開始する前に決定される。これら最初の２つのステップで得られた結果が、第３のステップ３の出発点となる。第３のステップ３では、現在の回転周波数を計算する。以下では、回転周波数と第１のステップ１および第２のステップ２で決定された値との間の依存性について、数式を用いて説明する。
【００１１】
一定線速度（ＣＬＶ）で動作するシステムでは、円周および線速度と、ディスク回転周期との関係は、以下の数式１で与えられる。ここで、Ｔは１回転の周期［秒／回転］であり、Ｕは現在の位置における円周［ｍ］であり、ｖは一定線速度［ｍ／秒］である。
【数１】
2008508648.tif 000003
【００１２】
ｒを半径［ｍ］として、Ｕ＝２πｒであることを考えると、数式１は次のように書き直すことができる。
【数２】
2008508648.tif 000004
【００１３】
ｒｉをプログラム領域の始点における半径［ｍ］とし、Ｎをプログラム領域の始点からのトラック数［個］とし、ｓをトラック・ピッチ［ｍ］、すなわち隣接する２つのトラックの間の距離として、ｒ＝ｒｉ＋Ｎ×ｓであることをさらに考慮すると、現在の位置の半径は、プログラム領域の始点の半径と、トラック番号およびトラック・ピッチを用いて表した現在の位置のオフセットとによって表すことができる。
【数３】
2008508648.tif 000005
【００１４】
数式３により、動作パラメータおよび現在のトラックから回転周期Ｔを計算することができる。
【００１５】
最終的に、周期Ｔと周波数ｆ［回転／秒］との関係は、
【数４】
2008508648.tif 000006
で与えられる。
【００１６】
以下では、コンパクト・ディスク（ＣＤ）を光記録媒体の例にとって説明する。もちろん、本発明は、一定線速度で駆動されるその他の光記録媒体にも適用可能である。１倍の速度で駆動されるＣＤの場合、規格による線速度は１．２ｍ／秒から１．４ｍ／秒である。
経験的平均値は、ｖ＝１．２５［ｍ／秒］である。１倍の速度で駆動されるＣＤについての実際の数値、すなわちｖ＝１．２５［ｍ／秒］、ｒｉ＝２５×１０-3［ｍ］、およびｓ＝１．６×１０-6［ｍ／トラック］を数式３に代入すると、以下の数式５が得られる。
【数５】
2008508648.tif 000007
【００１７】
数式５において、１．６×１０-6［ｍ／トラック］＝１／｛６２５［トラック／ｍｍ］｝という置換を行い、これを丸めて整数値にすることにより、近似値「回転周期あたりの秒数（ミリ秒）」が得られる。この結果は、精度およびディメンジョン（ｄｉｍｅｎｓｉｏｎ）の面で大抵の適用分野に適しており、固定小数点プロセッサでの計算に有効である。
【数６】
2008508648.tif 000008
【００１８】
例えばＣＤプレーヤなど、１種類の光記録媒体を特定の一定線速度で再生することしかできない装置では、回転周期は、ａおよびｂを定数として単純な一次方程式Ｔ＝ａ＋ｂＮで与えられる。様々な線速度が利用できる場合には、現在用いている速度を考慮に入れなければならない。さらに、様々なタイプの光記録媒体を再生することができる場合には、現在の光記録媒体の固有のパラメータが必要となる。従って、少なくとも近似値として回転周波数を決定するためには、記録媒体の中心またはその他の任意の基準位置からの記録媒体上の現在の位置を計算し、この現在の位置を用いて、線速度などの固有の動作パラメータに基づいて回転周波数を計算すれば十分である。本発明は、ゾーンＣＬＶ（ｚｏｎｅｄ  ＣＬＶ）媒体、すなわち媒体上のゾーンごとに一定線速度が異なる媒体にも適用可能である。
【００１９】
図２は、記録媒体６の読取りおよび／または書込みを行う装置４を示す概略図である。この装置は、光記録媒体６からディジタル・データＲＦを読み取る光学ピックアップ５を含む。分かりやすくするために、図面では、光学ピックアップ５が読み取ったアナログ信号からディジタル・データＲＦを得る処理は省略してある。この処理は、当業者には周知である。データ信号ＲＦは、プロセッサ７に送信され、プロセッサ７はセクタまたはサブコードＩＤを抜き出して、それらを回転周波数決定手段８に送る。また、プロセッサは、データ信号ＲＦからその他のデータも抜き出して、それらをこの装置のさらに別の処理手段（図示せず）に送る。セクタまたはサブコードＩＤに加えて、回転周波数決定手段８はまた、パラメータ決定手段９から必要な動作パラメータｖ、ｒｉおよびｓを受信する。これらの動作パラメータおよびセクタまたはサブコードＩＤに基づいて、回転周波数決定手段８は、上記で導出した数式３に従って回転周波数ｆの近似値を計算する。
【図面の簡単な説明】
【００２０】
【図１】本発明による光記録媒体の回転周波数を決定する方法を示す図である。
【図２】本発明による方法を用いて光記録媒体の読取りおよび／または書込みを行う装置を示す概略図である。
【図１】
2008508648.tif 000009
【図２】
2008508648.tif 000010
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
定線速度で駆動される光記録媒体の回転周波数を決定する方法であって、
現在のサブコード情報またはセクタ情報によって回転周波数を近似するステップを含む、前記方法。
【請求項２】
前記現在のサブコード情報またはセクタ情報によって回転周波数を近似するステップが、
前記現在のサブコード情報またはセクタ情報に基づいて前記光記録媒体上の基準位置からのトラックの数を決定するステップと、
前記決定したトラック数から回転周波数の近似値を計算するステップと、
を含む、請求項１に記載の方法。
【請求項３】
１つまたは複数の動作パラメータを決定するステップと、
前記決定した動作パラメータを用いて回転周波数の近似値を計算するステップと、
をさらに含む、請求項２に記載の方法。
【請求項４】
前記動作パラメータが、定線速度、基準位置の半径、および隣接するトラック間の距離を含む、請求項３に記載の方法。
【請求項５】
前記光記録媒体上の基準位置がプログラム領域の始点である、請求項２〜４のうちいずれか一項に記載の方法。
【請求項６】
光記録媒体の読取りおよび／または書込みを行う装置であって、
請求項１から５のうちいずれか一項に記載の定線速度で駆動される光記録媒体の回転周波数を決定する方法を実行するように適応される、前記装置。
【手続補正２】
【補正対象書類名】明細書
【補正対象項目名】０００９
【補正方法】変更
【補正の内容】
【０００９】
本発明がよりよく理解されるように、以下の説明では図面を参照しながら本発明についてより詳細に説明する。本発明がこの例示的な実施形態に限定されないこと、および本発明の範囲を逸脱することなく、具体的に挙げた特徴を適宜組み合わせる、且つ／または修正することもできることを理解されたい。
特許請求の範囲と実施例との対応関係を図面で使われている参照番号で示すと次の通りである。
１．  定線速度（ｖ）で駆動される光記録媒体（６）の回転周波数（ｆ）を決定する方法であって、
現在のサブコード情報またはセクタ情報によって回転周波数（ｆ）を近似するステップを含む、前記方法。
２．  前記現在のサブコード情報またはセクタ情報によって回転周波数（ｆ）を近似するステップが、
前記現在のサブコード情報またはセクタ情報に基づいて前記光記録媒体（６）上の基準位置からのトラックの数（Ｎ）を決定するステップ（１）と、
前記決定したトラック数（Ｎ）から回転周波数（ｆ）の近似値を計算するステップ（３）と、
を含む、請求項１に記載の方法。
３．  １つまたは複数の動作パラメータ（ｖ、ｒｉ、ｓ）を決定するステップ（２）と、
前記決定した動作パラメータ（ｖ、ｒｉ、ｓ）を用いて回転周波数（ｆ）の近似値を計算するステップ（３）と、
をさらに含む、請求項２に記載の方法。
４．  前記動作パラメータが、定線速度（ｖ）、基準位置の半径（ｒｉ）、および隣接するトラック間の距離（ｓ）を含む、請求項３に記載の方法。
５．  前記光記録媒体（６）上の基準位置がプログラム領域の始点である、請求項２〜４のうちいずれか一項に記載の方法。
６．  光記録媒体（６）の読取りおよび／または書込みを行う装置であって、
請求項１から５のうちいずれか一項に記載の定線速度（ｖ）で駆動される光記録媒体（６）の回転周波数（ｆ）を決定する方法を実行するように適応される、前記装置。
【国際調査報告】
2008508648.tif 000011
2008508648.tif 000012